(57)【要約】【課題】様々な設計の浴室に柔軟に対応できる棚付き水栓を提供する。【解決手段】互いに平行な一対の対辺部と、これら対辺部に対して略直角につながり、対辺部と長さが異なる後端辺部と、対辺部に対して傾斜し、水栓操作部が設けられた斜辺部と、を備えている。【選択図】図１
2008138454.tif 000002
【特許請求の範囲】
【請求項１】
互いに平行な一対の対辺部と、
前記対辺部に対して略直角につながり、前記対辺部と長さが異なる後端辺部と、
前記対辺部に対して傾斜し、水栓操作部が設けられた斜辺部と、
を備えたことを特徴とする棚付き水栓。
【請求項２】
前記一対の対辺部のうち長辺側の対辺部及び前記後端辺部が、浴室における洗い場壁パネルのコーナー面に沿って取り付けられることを特徴とする請求項１記載の棚付き水栓。
【請求項３】
カラン用湯水供給口とシャワー用湯水供給口とをさらに備え、
前記水栓操作部は、前記カラン用湯水供給口を開閉するカラン開閉操作部と、前記シャワー用湯水供給口を開閉するシャワー開閉操作部とを含むことを特徴とする請求項１または２に記載の棚付き水栓。
【発明の詳細な説明】
【技術分野】
【０００１】
本発明は、浴室に設置される棚付き水栓に関する。
【背景技術】
【０００２】
従来、浴室壁面に直に水栓を取り付けるのではなく、物を置いたり収納ボックスを取り付け可能なカウンターフレームを浴室壁面に取り付け、このカウンターフレームに洗い場水栓を取り付けた浴室が、例えば特許文献１に開示されている。
【０００３】
しかし、特許文献１におけるカウンターフレームは、浴室壁面の幅方向全体にわたって設けられて浴室の内側に突出した大きな構造体であるため、洗い場空間を狭くし、また、浴室ドアの位置やドア幅などの様々な設計自由度を狭める。
【特許文献１】特開２０００−２０１８５２号公報
【発明の開示】
【発明が解決しようとする課題】
【０００４】
本発明は、様々な設計の浴室に柔軟に対応できる棚付き水栓を提供する。
【課題を解決するための手段】
【０００５】
本発明の一態様によれば、互いに平行な一対の対辺部と、前記対辺部に対して略直角につながり、前記対辺部と長さが異なる後端辺部と、前記対辺部に対して傾斜し、水栓操作部が設けられた斜辺部と、を備えたことを特徴とする棚付き水栓が提供される。
【発明の効果】
【０００６】
本発明によれば、様々な設計の浴室に柔軟に対応できる棚付き水栓が提供される。
【発明を実施するための最良の形態】
【０００７】
以下、図面を参照し、本発明の実施形態について説明する。
【０００８】
図１は、本発明の実施形態に係る棚付き水栓４を備えた浴室ユニットにおける浴室内の斜視図である。
【０００９】
この浴室ユニットは、主として、浴槽１と、洗い場（床）２と、浴室カウンター７０と、棚付き水栓４とを備える。これらは、壁パネル５、６、７、８（壁パネル８は図１３に図示）及びドアＤＲによって画設された浴室内に配設されている。なお、壁パネルの一部に窓を設けてもよい。
【００１０】
浴槽１は、内槽１１と、この内槽１１の上縁部のまわりに設けられた浴槽リム１２とを有する。浴槽１は、ドアＤＲから見て浴室の奥側に配設され、ドアＤＲに対向する奥側の壁パネル５に隣接している。あるいは、壁パネル５は、浴槽１における奥側の上縁部の上に立設されてもよい。ドアＤＲの横には、浴槽１及び洗い場２を挟んで壁パネル５に対して略平行に対向する壁パネル７が設けられている。浴室出入口及びドアＤＲは、浴槽１の横であって、壁パネル６に向き合う位置に設けてもよい。
【００１１】
浴槽１は、その長辺方向が、壁パネル５、７に対して略平行になる向きで配置されている。浴槽１の手前側に、洗い場床２が浴槽１に隣接して配設されている。
【００１２】
浴槽リム１２は、内槽１１の上縁部から外側に張り出して設けられている。浴槽リム１２において内槽１１の長手方向の両端部にそれぞれ設けられた短辺リム１２ａ、１２ｂのうち一方の短辺リム１２ａは、他方の短辺リム１２ｂよりも短辺側の幅が大きく、この短辺リム１２ａの上に着座可能となっている。この短辺リム１２ａの短辺側の幅ｂは、例えば３０５（ｍｍ）であり、他方の短辺リム１２ｂの短辺側の幅ｃは、例えば２００（ｍｍ）である。内槽１１の長手方向寸法ａは、例えば１１４５（ｍｍ）である。
【００１３】
幅が狭い短辺リム１２ｂにおけるその外側の長辺縁部は、浴槽１側及び洗い場２側で共通な（一体な）壁パネル６に隣接している。あるいは、短辺リム１２ｂの外側の長辺縁部の上に立設される壁パネルと、この壁パネルに対してジョイナーを介して隣接する洗い場床側の壁パネルとを別体で設けてもよい。壁パネル６は、コーナージョイナーを介して、壁パネル７に対して略直角につながっている。幅が広い短辺リム１２ａにおけるその外側の長辺縁部は、図１３に表すように、壁パネル６に対して略平行に対向する壁パネル８に隣接している。
【００１４】
壁パネル６と壁パネル７とのコーナー部には、例えば平面輪郭形状が直角台形状の棚付き水栓４が設けられている。  
図２は、棚付き水栓４の拡大斜視図である。
【００１５】
棚付き水栓４は、互いに平行な一対の対辺部１３、１４と、これら対辺部１３、１４の一端側に設けられ、対辺部１３、１４に対して略直角につながる後端辺部１５と、対辺部１３、１４の他端側に設けられ、対辺部１３、１４に対して傾斜してつながる斜辺部１６とを有する。
【００１６】
一対の対辺部１３、１４のうち長辺側の対辺部１３は壁パネル７に隣接し、後端辺部１５は壁パネル６に隣接している。すなわち、棚付き水栓４は、その長辺側の対辺部１３及び後端辺部１５を壁パネル７から壁パネル６にかけてのコーナー面に沿わせて両壁パネル６、７に取り付けられている。長辺側の対辺部１３は、短辺側の対辺部１４よりも長い。なお、棚付き水栓４の上方における壁パネル７の壁面に鏡を設けてもよい。
【００１７】
棚付き水栓４の下面には、図示しないカラン用湯水供給口に接続されたカラン１７が取り付けられている。なお、カラン１７を設けずに、棚付き水栓４の下面に形成した吐水口から湯水が吐水されるようにしてもよい。また、棚付き水栓４の下面には、シャワー用湯水供給口が形成され、そのシャワー用湯水供給口には、シャワーホース２１の一端が接続され、シャワーホース２１の他端はシャワーヘッド２２に接続されている。
【００１８】
壁パネル７において、ドアＤＲと棚付き水栓４との間の部分には、シャワーヘッド保持部３３が設けられている。シャワーヘッド保持部３３は、上下方向に延在して設けられたバー部材３１と、このバー部材３１に対して上下動自在に係合し、シャワーヘッド２２を掛止することが可能なフック部３２とを有する。シャワーヘッド２２は、フック部３２に掛けられた状態でフック部３２ごとバー部材３１に沿って上下動可能となっている。また、バー部材３１は手すりも兼ねている。
【００１９】
斜辺部１６は、両壁パネル６、７に対して傾斜しつつ洗い場２に臨んで位置し、この斜辺部１６に水栓操作部２５が設けられている。水栓操作部２５は、具体的には、カラン開閉操作部２６と、シャワー開閉操作部２７とを有する。カラン開閉操作部２６は、斜辺部１６と短辺側の対辺部１４との間の角部近くに設けられ、カラン開閉操作部２６の横にシャワー開閉操作部２７が並んで設けられている。カラン１７とシャワーヘッド２２とは、水栓操作部２５が設けられた斜辺部１６を挟んで配置され、斜辺部１６においてカラン１７側にカラン開閉操作部２６が設けられ、シャワーヘッド２２側にシャワー開閉操作部２７が設けられている。
【００２０】
カラン開閉操作部２６は、下方に押し込まれることで、カラン用湯水供給口を開閉する。同様に、シャワー開閉操作部２７は、下方に押し込まれることで、シャワー用湯水供給口を開閉する。カラン開閉操作部２６の押圧面２６ａ及びシャワー開閉操作部２７の押圧面２７ａは、棚上面３４における斜辺部１６寄りの端に位置している。
【００２１】
棚付き水栓４の上面３４には、カラン１７やシャワーヘッド２２から吐水される湯水の温度を調整する温度調節ハンドル２８が設けられている。
【００２２】
浴室カウンター７０は、棚付き水栓４の下方における壁パネル７の壁面に隣接し、その部分から、浴槽１における幅が狭い短辺リム１２ｂ近傍に向けて延在して洗い場２に配設されている。浴室カウンター７０において、洗い場２側から見た後端部４２は壁パネル６の壁面に隣接し、その後端部４２から洗い場２側に略水平に突き出るようにして設けられている。
【００２３】
浴室カウンター７０の後端部４２は、浴槽１における短辺リム１２ｂの外側の長辺縁部の延長上に位置し、その後端部４２と、洗い場２側に臨む前端部４１との間の幅ｄは、短辺リム１２ｂの幅ｃより大きく、例えば４３０ｍｍである。
【００２４】
浴室カウンター７０は、強度や防水性などを考慮して、例えばＦＲＰ（Fiber Reinforced Plastic）からなるカウンター本体７５を備える。棚付き水栓４の下方におけるカウンター本体７５表面は洗面器置部４９として機能する。洗面器置部４９に洗面器を置いた状態でカラン１７の吐水口が洗面器に対向し、その吐水口から吐水される湯水を洗面器に供給することが可能となっている。
【００２５】
図３は、浴室カウンター７０の拡大斜視図である。
【００２６】
洗面器置部４９に隣接して、カウンター本体７５に一体に設けられた着座面７１、および着座面７１のまわりに着座面７１よりも低く形成された排水路７２ａ〜７２ｅが設けられている。
【００２７】
着座面７１は、浴槽リム１２上面と略同じ高さに設けられている。また、意匠性や、座ったときの感触等を向上させるため、ＦＲＰからなるカウンター本体７５とは異なる材料（例えばＡＢＳ樹脂材）を貼り付ける、あるいは埋め込むなどして着座面７１が構成される。
【００２８】
浴室カウンター７０の背後の壁パネル６は、着座面７１に着座した着座者の背もたれとして機能する。その壁パネル６において、着座者の背中が接触する部分には、着座面７１と同様例えばＡＢＳ樹脂からなる背もたれ部５２が設けられている。
【００２９】
カウンター本体７５と浴槽１との間における、浴槽リム１２の上面、着座面７１及び排水路７２ａ〜７２ｅよりも低く下がった位置に凹状の排水溝４７が設けられている。排水溝４７と浴槽１との間には、わずかな隙間が形成されている。排水溝４７の長さはカウンター本体７５の幅ｄと略同じもしくは短い。排水溝４７の幅は約４０ｍｍである。排水溝４７には、壁パネル６に隣接する後端部から洗い場２に臨む前端部に向かう方向に例えば１／５０の下り勾配がつけられている。
【００３０】
着座面７１と洗面器置部４９との間には、浴室カウンター７０の短手方向に沿って排水路７２ｄ、７２ｅが形成されている。排水路７２ｄ、７２ｅは、着座面７１及び洗面器置部４９よりも低い溝として形成されている。排水路７２ｄ、７２ｅには、壁パネル６側（後端側）から洗い場２側（前端側）に向かう方向に下り勾配がつけられ、また排水路７２ｅにおいて洗い場２側の前端は開放端となっているため、排水路７２ｄ、７２ｅに流れ込んだ湯水は洗い場２側に向けて流れ、洗い場２の床に落下する。
【００３１】
着座面７１を浴室カウンター７０の短手方向に２分割するように、浴室カウンター７０の長手方向に沿って排水路７２ａが形成されている。着座面７１の前端側には排水路７２ｂが形成され、着座面７１の後端側には排水路７２ｃが形成されている。排水路７２ｂ、７２ｃは、排水路７２ａに対して略平行に形成されている。排水路７２ａ〜７２ｃのそれぞれの一端（図３において右端）は排水路７２ｄ、７２ｅにつながっており、それぞれの他端（図３において左端）は排水溝４７につながっている。
【００３２】
排水路７２ａ、７２ｃは、排水路７２ｄ、７２ｅ側から排水溝４７側に向かう方向に下り勾配がつけられている。排水路７２ｂは、その長手方向の中央から排水路７２ｄ、７２ｅに向かう方向に下り勾配が付けられていると共に、その長手方向の中央から排水溝４７に向かう方向に下り勾配がつけられている。
【００３３】
排水路７２ａによって分割されたそれぞれの着座面７１において、排水路７２ｂ、７２ｃにそれぞれ最も近い部分は略同じ高さとなっており、その部分から排水路７２ａに向かいつつ且つ排水溝４７に向かう方向に下り勾配がつけられている。着座面７１において洗面器置部４９に最も近い部分には、排水路７２ａに向かって例えば１／３２の下り勾配がつけられ、排水溝４７に最も近い部分には、排水路７２ａに向かって例えば１／１６の下り勾配がつけられている。着座面７１において排水路７２ａに最も近い部分には、排水溝４７に向かって緩やかな（例えば１／１８０または１／９０の）下り勾配がつけられている。
【００３４】
浴室カウンター７０において着座者が着座する部分に、前述したような勾配をつけることで、排水路７２ａの溝幅それほど広く確保しなくても、また溝深さをそれほど深くしなくても、十分な排水性が得られる。したがって、排水路７２ａの溝幅を狭くできることで、着座者の臀部に違和感を与えにくくでき、また排水路７２ａを浅くできることで清掃性を向上させることができる。
【００３５】
本実施形態によれば、浴室カウンター７０の着座面に着座した状態で、洗体や洗髪を行える。
【００３６】
図５は、着座面７１に着座した状態で水栓操作部２５を操作する動作を表す模式図である。  
図６は、着座面７１に着座した状態で洗面器置部４９に置かれた洗面器６５を使う動作を表す模式図である。  
図７は、着座面７１に着座した状態でシャワーヘッド２２に手を伸ばしてシャワーヘッド２２をつかむ動作を表す模式図である。
【００３７】
本実施形態によれば、着座面７１に座った状態で手の届く位置に棚付き水栓４を設け、その棚付き水栓４の下方に、着座面７１に隣接して同じカウンター上に洗面器置部４９を設けたので、着座面７１に腰掛けた状態で、無理な姿勢や動作を強いられることなく、カラン１７から吐水される湯水を洗面器６５に溜めて洗顔などを行うことができる。
【００３８】
特に高齢者や足腰の不自由な人にとって、風呂椅子に腰掛けたり、風呂椅子から立ち上がったりする動作は負担であり、浴室壁面６に寄りかかりつつゆったりとした姿勢をとれるカウンター３に着座した状態で楽に洗面器６５を使えることは非常に有益である。
【００３９】
洗面器６５は、浴槽１から遠い壁パネル６と壁パネル７とのコーナー部近傍の洗面器置部４９に置かれるので、洗面器６５の使用に際して石鹸水や汚れを落とした湯水が浴槽１内に飛び散って入りにくい。
【００４０】
また、水栓操作部２５は、棚付き水栓４において壁パネル６及び壁パネル７に対して傾斜して洗い場２に臨む斜辺部１６に設けられているため、洗い場２側を向いて着座面７１に着座した着座者の左斜め前方に位置し、自然と視界にも入り、着座者にとって棚付き水栓４に近い左手を無理なく自然と伸ばした位置にもあるため、無理な姿勢や体の使い方を強いられることなく使い勝手がよい。
【００４１】
また、図７に表すように、シャワーヘッド２２の保持部（バー部材３１及びフック部３２）を、洗い場２側を向いて着座面７１に着座した着座者の左前方に位置する壁パネル７壁面に設けたため、シャワーヘッド２２についても、着座者にとって自然と視界にも入り、壁パネル７側に位置する左手を無理なく伸ばして届く位置にあり、シャワーの使用に際しても無理な姿勢や体の使い方を強いられることなく使い勝手がよい。
【００４２】
また、本実施形態によれば、図８〜１０に表すように、洗面器置部４９を向いて洗い場２の床上に置いた風呂椅子６６に着座した状態でも、無理な姿勢や体の使い方を強いられることなく水栓操作部２５を操作し、洗面器置部４９に置かれた洗面器６５を使い、シャワーヘッド２２に手を伸ばしてシャワーを使うことができる。
【００４３】
水栓操作部２５を、棚付き水栓４において壁パネル６及び壁パネル７に対して傾斜して洗い場２に臨む斜辺部１６に設けたため、浴室カウンター７０の着座面７１に着座した状態及び洗い場２床に置かれた風呂椅子６６に腰掛けた状態の両状態の使用者のどちらにとっても、水栓操作部２５が自然と視界に入り、且つ自然と手を伸ばして届く位置にあり、使い勝手がよい。
【００４４】
同様に、シャワーヘッド２２についても、棚付き水栓４近傍の壁パネル７に保持されるため、浴室カウンター７０の着座面７１に着座した状態及び洗い場２床に置かれた風呂椅子６６に腰掛けた状態の両状態の使用者のどちらにとっても、シャワーヘッド２２が自然と視界に入り、且つ自然と手を伸ばして届く位置にあり、使い勝手がよい。
【００４５】
例えば、浴室カウンター７０に腰掛けた高齢者等の被介護者にとって、水栓操作部２５、洗面器６５、シャワーが使いやすいのはもちろん、その被介護者の前で風呂椅子座りする介護者にとっても、水栓操作部２５、洗面器６５、シャワーは使いやすく、介護を楽にできる。
【００４６】
洗い場２側を向いて浴室カウンター７０の着座面７１に腰掛けた状態では、図５、７に表すように、着座者の左前方に水栓操作部２５及びシャワーヘッド２２が位置しているため、左手を使った方が、水栓操作部２５の操作やシャワーヘッド２２をつかむ動作を無理なく自然に行える。
【００４７】
洗面器置部４９を向いて洗い場２の床上に置かれた風呂椅子６６に腰掛けた状態では、図８、１０に表すように、着座者の右前方に水栓操作部２５及びシャワーヘッド２２が位置しているため、右手を使った方が、水栓操作部２５の操作やシャワーヘッド２２をつかむ動作を無理なく自然に行える。
【００４８】
このような構成によって、水栓操作部２５やシャワーを扱う手が左右どちらか一方の手に限定されず、水栓操作部２５やシャワーを左右どちらの手で扱いたいかによって、カウンター座りあるいは風呂椅子座りを選ぶことができる。例えば、左右どちらか一方の手が不自由な使用者にとって、カウンター座りを選択するか風呂椅子座りを選択するかによって、不自由でない方の手もしくは使いやすい方の手で、水栓操作部２５やシャワーを負担なく使うことができる。
【００４９】
また、前述したように、着座面７１には、浴室カウンター７０の短手方向中央に向かう方向に下り勾配がつけられているため、石鹸水などで着座面７１上がすべりやすくなっても、着座者は着座面７１上からずれ落ちることなく安定して腰掛けられる。
【００５０】
着座面７１の短手方向中央から洗い場２側の前端部に向けて上向き傾斜の勾配となっており、且つ浴室カウンター７０の前端部と着座面７１との間に排水路７２ｂが形成されているため、洗体や洗髪に使われ、汚れを洗い落とした湯水が浴室カウンター７０の前端部から落下して、着座者のふくらはぎや足にかかることによる不快感を抑制できる。
【００５１】
浴室カウンター７０上での洗体や洗髪により生じた、汚れを洗い流した湯水は、着座面７１より低い位置に形成された排水路７２ａ〜７２ｃに流れるので、汚れた湯水が着座面７１に着座した着座者の臀部周辺に滞留することを抑制でき、着座者に不快感を与えない。
【００５２】
排水路７２ａ〜７２ｃ内の湯水は、排水溝４７に向かって流れ、排水路７２ａ〜７２ｃより低い位置に形成された排水溝４７に流れ込む。排水溝４７は、洗い場２側に向かって下り勾配がつけられているため、排水溝４７に流れ込んだ湯水は、洗い場２側に向けて流れ、洗い場２の床に落下する。排水溝４７は、浴槽リム１２よりも低い位置に設けられているため、また排水溝４７は比較的広い幅（約４０ｍｍ）を有していることもあって、排水路７２ａ〜７２ｃを流れてきた汚水が内槽１１内に入り込むことがない。
【００５３】
排水溝４７から洗い場２の床に落下した排水は、その床面上につけられた排水勾配に沿って、浴槽１と洗い場２床との境界部近傍に設けられた排水口（図示省略）に流れ込み、浴室内から排水される。排水溝４７は着座面７１に対して横にずれた位置に設けられ、排水溝４７を流れた汚水の洗い場２床上への落下地点と、洗い場２の床に形成された排水口との間には、着座者の足が位置せず、着座者の足に汚水が触れることを回避できる。
【００５４】
排水溝４７は、狭いスリット状ではなく、比較的幅が広く且つ浅い凹状に設けられているため、清掃性が良く、また手が挟まれることもない。また、排水溝４７は、上に出っ張っていない凹状であるため、着座面７１から浴槽１に移乗もしくは浴槽１から着座面７１に移乗するとき、排水溝４７は障害物とならず違和感なく円滑に移乗できる。
【００５５】
洗面器置部４９と着座面７１との間には、それら洗面器置部４９及び着座面７１より低い位置に形成された溝として排水路７２ｄ、７２ｅが設けられており、排水路７２ｄ、７２ｅに流れ込んだ湯水は、洗い場２側に向けて流れ、洗い場２の床に落下する。したがって、洗面器置部４９上で洗面器からあふれた汚水（洗面器内でタオルを洗ったり、顔を洗ったりしたときに生じる湯水）が着座面７１に流れ込まず、着座者に不快感を与えない。
【００５６】
浴室カウンター７０上の湯水は、浴室カウンター７０と浴槽１との境界に設けた排水溝４７以外にも、洗面器置部４９と着座面７１との間に設けた排水路７２ｅを介しても、洗い場２の床上に落下させ浴室カウンター７０上から排水することができる。これにより、排水路７２ｂ、７２ｃ、７２ｄの溝深さをそれほど深くしなくても、それら排水路７２ｂ、７２ｃ、７２ｄから湯水をあふれさせることなく、十分な排水性能を確保できる。排水路７２ｂ、７２ｃ、７２ｄの溝深さを浅くできることで、それら排水路７２ｂ、７２ｃ、７２ｄの清掃性が良くなる。
【００５７】
また、本実施形態によれば、図１２に表すように、浴室カウンター７０の着座面７１に腰掛けつつ、浴槽１に対して出入りすることができる。
【００５８】
浴槽１に入るときは、まず、洗い場２側を向いて浴室カウンター７０の着座面７１に腰掛けた後、体を浴槽１側に向けて、右手で短辺リム１２ｂ上方の壁パネル６壁面に取り付けられた手すり５６をつかみ、左手で浴室カウンター７０の前端部４１をつかんで体を支えつつ、右脚から順に両脚を内槽１１に入れた後、上半身を浴室カウンター７０の着座面７１上から内槽１１内に移乗させる。
【００５９】
浴槽１から出るときは、入るときと逆に、まず、上半身を内槽１１内から浴室カウンター７０に移乗させて着座面７１に腰掛けた後、左脚から順に両脚を内槽１１から出しつつ体を洗い場２側に向ける。
【００６０】
また、浴室カウンター７０が設けられた短辺リム１２ｂの反対側の短辺リム１２ａは、短辺リム１２ｂよりも幅が広く、人が腰掛けるのに十分な幅ｂ（例えば３０５ｍｍ）を有している。したがって、図１３に表すように、その短辺リム１２ａに腰掛けつつ、浴槽１に対して出入りすることができる。
【００６１】
浴槽１に入るときは、まず、洗い場２側を向いて短辺リム１２ａに腰掛けた後、体を浴槽１側に向けて、左手で壁パネル５壁面に取り付けられた手すり５７をつかんで体を支えつつ、左脚から順に両脚を内槽１１に入れた後、上半身を短辺リム１２ａ上から内槽１１内に移乗させる。
【００６２】
浴槽１から出るときは、入るときと逆に、まず、上半身を内槽１１内から短辺リム１２ａに移乗させて短辺リム１２ａ上に腰掛けた後、右脚から順に両脚を内槽１１から出しつつ体を洗い場２側に向ける。
【００６３】
本実施形態によれば、浴槽１の長手方向の両端側それぞれから浴槽１に対して出入りできるが、その移乗に際して人が腰掛けるのに十分な広さの短辺リムを片側にだけしか設けていないため、限られた浴槽設置スペース内で、浴槽両端に広いリム面を設ける場合に比べて、内槽１１の長手方向寸法ａの短縮を抑えることができる。この結果、窮屈な入浴感を与えず、快適な入浴が可能となる。
【００６４】
本実施形態では、浴室の出入口（ドア）の位置や出入口（ドア）の幅の違いに対して、棚付き水栓４の形状や寸法を変えることなく取付向きを変えるだけで対応できる。
【００６５】
図１１は、本実施形態に係る棚付き水栓４の取付向きの３つの形態を例示する模式図である。
【００６６】
前述した具体例では、棚付き水栓４は図１１において実線で表される向きで取り付けられたとして説明した。すなわち、棚付き水栓４は、その長辺側の対辺部１３を、洗い場２を隔てて浴槽１に向き合う壁パネル７に沿って隣接させ、後端辺部１５を壁パネル６に沿って隣接させ、対辺部１３と後端辺部１５との角部を、壁パネル６と壁パネル７とのコーナー部に位置させている。
【００６７】
この場合、浴室の出入口（ドア）は、壁パネル７の外側にいる使用者から見て棚付き水栓４の左側に設けられている。これとは逆に、壁パネル６側に寄った位置に出入口（ドア）位置が設計された浴室ユニットの場合には、図１１において１点鎖線で表すように、壁パネル６に対向する壁パネル８側のコーナー部に棚付き水栓４を設ければ、棚付き水栓４が出入口にはみ出さず、また棚付き水栓４とドアとの干渉も回避できる。ただし、壁パネル８側のコーナー部に配置される棚付き水栓４は、図１１において実線で表される棚付き水栓４を表裏反転させた輪郭形状のものにしないと、水栓操作部が設けられた斜辺部１６が図１１において破線で表されるように、出入口側を向いてしまい、使い勝手が悪い。
【００６８】
棚付き水栓４が設けられる浴室コーナー部を形成する２つの壁面に対して傾斜した斜辺部１６に水栓操作部を設けることで、洗い場２の床上に置かれた風呂椅子に座った状態でも、棚付き水栓４の隣の壁沿いに設けた前述した浴室カウンター３に着座した状態でも、どちらでも無理な姿勢や体の使い方を強いられることなく水栓操作部を使うことができる。例えば、図１１において１点鎖線で表される位置に棚付き水栓４を設けた場合に、この棚付き水栓４の隣に前述したのと同様な浴室カウンター３を設けても、洗い場２側を向いてその浴室カウンター３に着座した着座者にとって、棚付き水栓４の斜辺部１６は視界に自然と入る右斜め前方に位置し、右手を自然と伸ばして斜辺部１６に設けられた水栓操作部を操作することができる。
【００６９】
図１１において実線で表される位置に棚付き水栓４を設けた場合の出入口（ドア）幅Ａよりも大きな出入口（ドア）幅Ｂを有する浴室ユニットの場合には、図１１において１点鎖線で表される前述した右勝手用の棚付き水栓４を、図１１において２点鎖線で表す向きで取り付ければ対応できる。
【００７０】
すなわち、２点鎖線で表される棚付き水栓４は、その後端辺部１５を、洗い場２を隔てて浴槽１に向き合う壁パネル７に沿って隣接させ、長辺側の対辺部１３を壁パネル６に沿って隣接させ、斜辺部１６を浴槽１側に向けている。後端辺部１５は対辺部１３よりも長さが短いため、棚付き水栓４は、幅Ｂに設計された出入口にはみ出さず、その出入口に設けられるドアにも干渉しない。
【００７１】
この２点鎖線で表される向きに取り付けられた棚付き水栓４においても、水栓操作部が設けられた斜辺部１６は浴室の内側に向くため、洗い場２の床上に置いた風呂椅子に着座した状態で水栓操作部が使いやすいのはもちろん、その棚付き水栓４の隣に浴室カウンター３を設けても、斜辺部１６は浴室カウンター３側を向いているため、浴室カウンター３に着座した着座者にとっても水栓操作部を使いやすい。
【００７２】
以上説明したように、本実施形態によれば、浴室の出入口（ドア）の位置や出入口（ドア）の幅の違いに対して、棚付き水栓４の形状や寸法を変えることなく取付向きを変えるだけで対応できるので、金型コストや生産コストの増大を抑え、且つ水栓操作部を斜辺部１６に設けたため、棚付き水栓４の向きを変えて取り付けても、風呂椅子座りの使用者及びカウンター座りの使用者の双方にとって水栓操作部を使いやすくできる。
【００７３】
また、棚付き水栓４は、洗い場２を隔てて浴槽１とは反対側の、浴槽１から離れた浴室コーナー部に位置するため、棚付き水栓４を使って洗い場２で洗体や洗髪した際の石鹸水や汚れを落とした湯水が浴槽１内に入りにくい。また、棚付き水栓４が浴室のコーナー部に設けられることで、洗い場２に窮屈感を与えず、洗い場２を広く使うことができる。
【００７４】
棚付き水栓の平面輪郭形状は、直角台形状に限らない。  
図１４は、本発明の他の実施形態に係る棚付き水栓１００の模式平面図を表す。
【００７５】
この棚付き水栓１００は、互いに平行な一対の対辺部１３、１０４と、これら対辺部１３、１０４の一端側に設けられ、対辺部１３、１０４に対して略直角につながる後端辺部１５と、長辺側の対辺部１３の他端側に設けられ、対辺部１３に対して略直角につながる前端辺部１０８と、短辺側の対辺部１０４及び前端辺部１０８に対して傾斜してつながる斜辺部１０６とを有する。対辺部１３は、対辺部１０４より長く、且つ後端辺部１５よりも長い。
【００７６】
長辺側の対辺部１３は、図１に表す壁パネル７に隣接し、後端辺部１５は壁パネル６に隣接している。すなわち、本具体例の棚付き水栓１００も、前述した棚付き水栓４と同様、その長辺側の対辺部１３及び後端辺部１５を壁パネル７から壁パネル６にかけてのコーナー面に沿わせて両壁パネル６、７に取り付けられている。その状態で、水栓操作部が設けられた斜辺部１０６は、洗い場に臨む。
【００７７】
図１５は、本発明のさらに他の実施形態に係る棚付き水栓１１０の模式平面図を表す。
【００７８】
この棚付き水栓１１０は、互いに平行な一対の対辺部１３、１１４と、これら対辺部１３、１１４の一端側に設けられ、対辺部１３、１１４に対して略直角につながる後端辺部１５と、対辺部１３、１１４の他端側に設けられ、対辺部１３、１１４に対して傾斜しつつ湾曲している斜辺部１１６とを有する。対辺部１３は、対辺部１１４より長く、且つ後端辺部１５よりも長い。
【００７９】
長辺側の対辺部１３は、壁パネル７に隣接し、後端辺部１５は壁パネル６に隣接している。すなわち、本具体例の棚付き水栓１１０も、前述した棚付き水栓４と同様、その長辺側の対辺部１３及び後端辺部１５を壁パネル７から壁パネル６にかけてのコーナー面に沿わせて両壁パネル６、７に取り付けられている。その状態で、水栓操作部が設けられた斜辺部１１６は、洗い場に臨む。
【００８０】
次に、図４は、浴室カウンターの他の具体例を表す斜視図である。
【００８１】
この浴室カウンター３のカウンター本体４３において、洗面器置部４９に隣接する部分と、排水溝４７との間の部分には凹部が設けられ、その凹部に、すのこ４４が着脱自在に嵌め込まれている。すのこ４４は、浴室カウンター３の短手方向に２分割された２つのすのこ４５、４６からなる。すのこ４５、４６の裏側と、カウンター本体４３に形成された凹部底面との間には、排水のための空間が確保されている。
【００８２】
すのこ４４の上面は着座面として機能し、すのこ４４がカウンター本体４３の凹部に嵌めこまれた状態で、その着座面は、カウンター本体４３上面と略面一になり、着座部分には凹凸が形成されない。また、着座面は、洗面器置部４９上面と略面一である。着座面は、浴槽リム１２上面と略同じ高さに設けられている。すのこ４４は、例えばＦＲＰからなるカウンター本体４３とは異なる材料である例えばＡＢＳ樹脂などからなる。
【００８３】
本具体例の浴室カウンター３においても、その着座面は、浴室カウンター３の短手方向中央に向かって前端部側及び後端部側から下り勾配が付けられているため、着座者は着座面上に安定して腰掛けられる。
【００８４】
浴室カウンター３上での洗体や洗髪により生じた、汚れを洗い流した湯水は、２つのすのこ４５、４６間の隙間（約５ｍｍ）に流れ、あるいはすのこ４５、４６とカウンター本体４３との隙間に流れ、それら隙間から、すのこ４５、４６が嵌め込まれた凹部に落ちる。このため、汚れた湯水が着座者の臀部周辺に滞留することを抑制でき、着座者に不快感を与えない。
【００８５】
すのこ４５、４６裏側の凹部に落下した汚水は、その凹部に形成され排水溝４７に向かう方向に下り勾配がつけられている排水路を排水溝４７に向けて流れ、排水溝４７に流れ込む。排水溝４７に流れ込んだ汚水は、洗い場２側に向かって流れ、洗い場２の床に落下する。
【図面の簡単な説明】
【００８６】
【図１】本発明の実施形態に係る棚付き水栓が備え付けられた浴室内の斜視図である。
【図２】本発明の実施形態に係る棚付き水栓の拡大斜視図である。
【図３】図１に表す浴室内に備え付けられた浴室カウンターの拡大斜視図である。
【図４】浴室カウンターの他の具体例を表す斜視図である。
【図５】本実施形態において、浴室カウンターの着座面に着座した状態で水栓操作部を操作する動作を表す模式図である。
【図６】本実施形態において、浴室カウンターの着座面に着座した状態で洗面器置部に置かれた洗面器を使う動作を表す模式図である。
【図７】本実施形態において、浴室カウンターの着座面に着座した状態でシャワーヘッドに手を伸ばしてシャワーヘッドをつかむ動作を表す模式図である。
【図８】本実施形態において、洗い場床上に置かれた風呂椅子に腰掛けた状態で水栓操作部を操作する動作を表す模式図である。
【図９】本実施形態において、洗い場床上に置かれた風呂椅子に腰掛けた状態で洗面器置部に置かれた洗面器を使う動作を表す模式図である。
【図１０】本実施形態において、洗い場床上に置かれた風呂椅子に腰掛けた状態でシャワーヘッドに手を伸ばしてシャワーヘッドをつかむ動作を表す模式図である。
【図１１】本発明の実施形態に係る棚付き水栓の取付向きの３形態を例示する模式図である。
【図１２】本発明の実施形態において、浴室カウンターを使った浴槽に対する出入りを説明するための模式図である。
【図１３】本発明の実施形態において、浴槽リムを使った浴槽に対する出入りを説明するための模式図である。
【図１４】本発明の他の実施形態に係る棚付き水栓の模式平面図である。
【図１５】本発明のさらに他の実施形態に係る棚付き水栓の模式平面図である。
【符号の説明】
【００８７】
１…浴槽、２…洗い場、４…棚付き水栓、１１…内槽、１２…浴槽リム、１３…対辺部、１４…対辺部、１５…後端辺部、１６…斜辺部、２２…シャワーヘッド、２５…水栓操作部、４９…洗面器置部、７０…浴室カウンター、７１…着座面
【図１】
2008138454.tif 000003
【図２】
2008138454.tif 000004
【図３】
2008138454.tif 000005
【図４】
2008138454.tif 000006
【図５】
2008138454.tif 000007
【図６】
2008138454.tif 000008
【図７】
2008138454.tif 000009
【図８】
2008138454.tif 000010
【図９】
2008138454.tif 000011
【図１０】
2008138454.tif 000012
【図１１】
2008138454.tif 000013
【図１２】
2008138454.tif 000014
【図１３】
2008138454.tif 000015
【図１４】
2008138454.tif 000016
【図１５】
2008138454.tif 000017